(57)【要約】シールド線の導電線心線の接触子ねじであって、前記接触子ねじは、その軸線に沿って電気コネクター装置内にねじ込み案内されるべく設けられると共に、ねじ山を形成されたねじ部（３）を有する軸（１）と接触端部（２）を備えてなり、かつ、前記接触端部（２）は、導電線絶縁材及びシールド材を貫通するべく設けられると共に、絶縁材を被覆された部分を備えてなるものにおいて、前記接触端部（２）の絶縁材を被覆された部分の外面に、前記軸（１）のねじ部（３）のねじ山ピッチよりも大きいねじ山ピッチを有するねじ部（５）が設けられる。
2006505110.tif 000002
【特許請求の範囲】
【請求項１】
シールド線の導電線心線、特に複数の導電線心線を有する平帯シールド線のデータ送信心線、の接触子ねじであって、前記接触子ねじは、その軸線に沿って電気コネクター装置内にねじ込み案内されるべく設けられると共に、ねじ山を形成されたねじ部を有する軸と接触端部を備えてなり、かつ、前記接触端部は、導電線絶縁材及びシールド材を貫通するべく設けられると共に、絶縁材を被覆された部分を備えてなるものにおいて、前記接触端部の絶縁材を被覆された部分の外面に、前記軸のねじ部のねじ山ピッチよりも大きいねじ山ピッチを有するねじ部が設けられてなることを特徴とする接触子ねじ。
【請求項２】
前記接触端部はそのねじ部の先端に向って頂部を有する円錐形状に形成され、かつ、前記接触端部における絶縁材の被覆は前記円錐形状に合致する円錐形状に作られた殻として形成されてなることを特徴とする請求項１記載の接触子ねじ。
【請求項３】
前記接触端部におけるねじ部のねじは、多条ねじ、好ましくは二条ねじ、でなることを特徴とする請求項１又は２記載の接触子ねじ。
【請求項４】
前記接触端部におけるねじ部のねじ山ピッチは、前記軸におけるねじ部のねじ山ピッチの２倍を超えないことを特徴とする請求項１ないし３のいずれかに記載の接触子ねじ。
【請求項５】
前記接触端部の先端部はきのこ形状に形成され、かつ、前記接触端部における絶縁材の被覆、例えば円錐形状の殻、は、前記接触端部のねじ込み方向に関して前記きのこ形状の先端部の後方に位置してなることを特徴とする請求項１ないし４のいずれかに記載の接触子ねじ。
【発明の詳細な説明】
【発明の詳細な説明】
【０００１】
本発明は、シールド線の導電線心線、特に複数の導電線心線を有する平帯シールド線のデータ送信心線、の接触子ねじに関する。ここにおいて、前記接触子ねじは、その軸線に沿って電気コネクター装置内にねじ込み案内されるべく設けられると共に、ねじ山を形成されたねじ部を有する軸と接触端部を備えている。また、前記接触端部は、導電線絶縁材及びシールド材を貫通するべく設けられると共に、絶縁材を被覆された部分を備えている。
【０００２】
特に送電用又はデータ送信用心線を有する平帯シールド線においては、接触子をシールド線内部のデータ送信心線に刺し通す場合に、シールド材（導電材である）を接触子のねじ部に接触させないようにすることが必要であり、しかもこの場合に接触子端部と導電線との間の良好な電気抵抗と、シールド材と導電線との間の高い電圧安定性を維持することが要求される。
【０００３】
従来このような問題を解決するために、導電線の刺し通しの場合にシールド線被覆、シールド材及び心線絶縁材を貫通する固い絶縁材で作られた殻を有する接触子ねじが用いられている。このような接触子ねじにおいては、接触子ねじの貫通力が絶縁材に伝達されてシールド材が導電線に向って引き寄せられ、これによってシールド材と導電線との間の距離が減少されるため、電気抵抗が減少し、電圧安定性が損われるという問題がある。
【０００４】
従って本発明は、冒頭に記載された接触子ねじにおける上述の問題を解消する接触子ねじを提供することを課題とする。
【０００５】
この課題は、冒頭に記載の接触子ねじにおいて、請求項1の特徴部に記載された特徴を有する接触子ねじにより解決される。
【０００６】
本発明の対象となる接触子ねじの有利な諸形態は、従属請求項において特定される。
【０００７】
本発明の接触子ねじによれば、従来のものに比べて、シールド材と導電線との間により高い電圧安定性が達成されると共に、接触子ねじの貫通力は、従来のような固い絶縁材によるのでなく、ねじ部を形成された金属部材により伝えられるので、ねじ部から先の部分（先端部）と導電線との間にはより大きな接触面が実現される。
【０００８】
以下において、本発明を添付の図に示された実施の形態に基づいてより詳細に説明する。
【０００９】
図１及び図２は、本発明による接触子ねじの先端部分を示している。この接触子ねじは金属で作られ、軸１及び接触端部２を有する。接触端部２はきのこ形状の先端部２’を有する。軸１には、所定のねじ山ピッチ（例えば0.7ｍｍ）を有するねじ部３が設けられる。このねじ部３により、接触子ねじを電気コネクター装置（図示省略）のねじ穴内に軸線に沿ってねじ込み、接触による電気接続を形成することができる。
【００１０】
軸１の端部と先端部２’との間の接触端部２の部分は、円錐形状に作られ、かつ、この部分に、例えばコーティング等により絶縁化された被覆部材としての殻４が覆うように取付けられる。殻４は、接触端部２に合致する円錐形状に作られ、軸１の端部の肩部１’ときのこ形状の先端部２’の肩部２”との間に延在している。
【００１１】
殻４の外面には、例えば二条ねじを形成されたねじ部５が設けられる。このねじ部５は、軸１のねじ部３のねじ山ピッチ（上述のように例えば0.7ｍｍ）よりも大きなねじ山ピッチ（例えば1.2ｍｍ）を有する。
【００１２】
接触子ねじがねじ部３を介してねじ込まれると、軸１のねじ部３と殻４のねじ部５との間のねじ山ピッチの差異による効果により相対的な動きが生じ、これにより導電線の絶縁材は図の上方へ（即ち、導電線から離れるように外方へ）引上げられ、拡げられる。従って、接触子ねじをねじ込むことによりこの部分のシールド材と導電線との間の間隔が拡大される。
【００１３】
絶縁された殻４は円錐形状を有するので、接触端部２の腹部から導電線の絶縁材部分に対する圧力が高められる。従って、圧迫により接触子ねじの固定が一段と安定される。
【００１４】
また、接触端部２の先端部２’は金属で作られ、かつ、きのこ形状を有するので、これによるシールド材や絶縁材の貫通がスムーズに実施される。また殻４は、接触端部２のねじ込み方向に関して、きのこ形状を有する先端部２’の後方に位置するので、殻４が保護される。
【００１５】
図３は、従来技術による接触子ねじの使用状況を示す断面図である。接触子ねじの貫通部においてシールド材１０が導電線２０の側に押込まれている状態が示されている。
【００１６】
図４は、本発明による接触子ねじの使用状況を示す部分断面図である。ここにおいて、軸１のねじ部３のねじ山ピッチよりも大きなねじ山ピッチを有する接触端部２のねじ部５により、貫通部においてシールド線被覆のみならずシールド材１０もが、絶縁された殻4を覆うように導電線２０から離れる方向に拡げられているのが観察される。
【図面の簡単な説明】
【００１７】
【図１】本発明の接触子ねじの接触端部の側面図で、一部を破線で示している。
【図２】本発明の接触子ねじの接触端部の側面図。
【図３】従来の接触子ねじの使用状況を示す断面図。
【図４】本発明の接触子ねじの使用状況を示す部分断面図。
【図１】
2006505110.tif 000003
【図２】
2006505110.tif 000004
【図３】
2006505110.tif 000005
【図４】
2006505110.tif 000006
【国際調査報告】
2006505110.tif 000007
2006505110.tif 000008
2006505110.tif 000009
2006505110.tif 000010